(57)【要約】【課題】  操作性を犠牲にすることなく、待機電流を無くすようにしたリモコン送信装置を提供する。【解決手段】  リモコン送信装置３は、手持ち可能な本体部と、該本体部の任意面に配置された少なくとも１個の操作ボタン５1 〜５n と、該操作ボタンに対する押圧操作力を受けて起電圧を発生する圧電素子部６と、前記圧電素子部の起電圧発生に応答して、前記本体部に実装されたワイヤレス信号発生用電子回路（１０）の電源をオンにする電源オン手段（８）とを備える。本体部の操作ボタンを押圧操作すると、その押圧操作力を受けて圧電素子部で起電圧が発生し、この起電圧により、電源オン手段が、本体部に実装されたワイヤレス信号発生用電子回路の電源をオンにする。したがって、本体部の操作ボタンを押圧操作する前は、ワイヤレス信号発生用電子回路の電源がオフとされているため、当該回路の消費電流をゼロにできる。【選択図】  図１
2006186545.tif 000002
【特許請求の範囲】
【請求項１】
手持ち可能な本体部と、
該本体部の任意面に配置された少なくとも１個の操作ボタンと、
該操作ボタンに対する押圧操作力を受けて起電圧を発生する圧電素子部と、
前記圧電素子部の起電圧発生に応答して、前記本体部に実装されたワイヤレス信号発生用電子回路の電源をオンにする電源オン手段と
を備えたことを特徴とするリモコン送信装置。
【請求項２】
前記圧電素子部は、厚み方向に分極を配した１枚ないしは複数枚のフィルム状の圧電シートからなり、該厚み方向に前記押圧操作力を受けるように構成されていることを特徴とする請求項１記載のリモコン送信装置。
【請求項３】
前記ワイヤレス信号発生回路は、電源がオンされてから所定時間、前記操作ボタンの押圧操作の有無を検知し、押圧操作を検知すると、該操作ボタンに割り当てられている所定の制御コードを含むワイヤレス信号を発生して外部に送信すると共に、前記の所定時間を経過すると、前記電源オン手段に対して電源オフの指示信号を出力することを特徴とする請求項１記載のリモコン送信装置。
【請求項４】
手持ち可能な本体部と、
該本体部の任意面に配置された少なくとも１個の電源オンボタンを含む複数の操作ボタンと、
前記電源オンボタンに対する押圧操作力を受けて起電圧を発生する圧電素子部と、
前記圧電素子部の起電圧発生に応答して、前記本体部に実装されたワイヤレス信号発生用電子回路の電源をオンにする電源オン手段と、
前記電源オン手段により電源が供給されたワイヤレス信号発生用電子回路により前記複数の操作ボタンに電源を供給する手段と、
を備えたことを特徴とするリモコン送信装置。
【請求項５】
前記圧電素子部は、厚み方向に分極を配したフィルム状の圧電シートとスポンジやゴム板等の弾性素材が積層され、厚み方向に変形可能に保持されていることを特徴とする請求項４記載のリモコン送信装置。
【請求項６】
前記フィルム状の圧電シートは、ピエゾフィルムを含むことを特徴とする請求項４記載のリモコン送信装置。
【請求項７】
前記フィルム状の圧電シートは、シート上のセラミックの圧電素子を含むことを特徴とする請求項４記載のリモコン送信装置。
【請求項８】
前記圧電素子部は、複数枚の厚み方向に分極を配したフィルム状の圧電シートを積層して構成されており、その積層体は、スポンジやゴム板等の弾性素材を間にして介挿されることにより変形時の起電力を増大させていることを特徴とする請求項４乃至請求項７いずれかに記載のリモコン送信装置。
【請求項９】
複数の操作ボタンに電源を供給する手段は、電磁リレーを含むことを特徴とする請求項４記載のリモコン送信装置。
【請求項１０】
電源オンボタンとその他の操作ボタンを有するリモコン送信装置の電源供給方法であって、
前記電源オンボタンを押圧するとフィルム状圧電シートを変形させることにより起電力を発生させ、その起電力により該電源オンボタンの機能を有効にさせて電源オン信号を電子機器に発信するとともに、該リモコン送信装置内部の電源回路をオンにさせ、その後に前記他の操作ボタンの機能を有効にすることを特徴とするリモコン送信装置の電源供給方法。
【発明の詳細な説明】
【技術分野】
【０００１】
本発明は、リモコン送信装置に関する。詳しくは、電磁波や超音波を搬送波にして所要の制御コードを送信し、離れた場所の電子機器を遠隔操作するリモコン送信装置に係り、特に、操作性を犠牲にすることなく、待機電流を無くすようにしたリモコン送信装置に関する。
【背景技術】
【０００２】
一般に、離れた場所から各種の電子機器を遠隔操作する、いわゆるリモコンシステムは、手持ちに適したケースに収められた送信装置と、操作対象の電子機器に組み込まれた受信装置とから構成されている。送信装置と受信装置との間の通信媒体は、赤外線や電波または超音波であり、受信装置は、それらの媒体のいずれか（説明の便宜上「赤外線」とする）を受信して、送信装置からのボタン操作信号（制御コード）を再生し、再生されたボタン操作信号に対応した各種制御、たとえば、対象電子機器の電源オンオフなどを行う。
【０００３】
ところで、かかるリモコンシステムの受信装置は、送信装置からの赤外線をいつでも受信可能な待機状態になっていなければならないため、微小ではあるが、常時、待機電流を消費していた。一方、電子機器に対する省電力化の要求は、ますます厳しさを増しており、上記の待機電流についても、できる限り抑制することが求められている。
【０００４】
そこで、リモコン受信装置に、リモコン送信装置からの赤外線搬送波の検出のみを間欠的に行う回路を実装し、通常はこの回路のみを動作させる省電力モードとし、この回路によって、赤外線搬送波が検出されたときに、省電力モードから脱してリモコン受信装置の動作を完全動作モードとするようにした技術が知られている（たとえば、特許文献１参照）。
【特許文献１】特開２００２−２３８０８８号公報（〔００１８〕−〔００１９〕、第１図）
【発明の開示】
【発明が解決しようとする課題】
【０００５】
しかしながら、上記の従来技術にあっては、リモコン受信装置の省電力化を図ることができるものの、リモコンシステムのもう一方の装置、すなわち、リモコン送信装置の省電力対策が考慮されていなかった。
【０００６】
ここで、我々の身の回りにあるリモコン送信装置の代表例として、テレビ受信機のリモコン送信装置を考える。この種のリモコン送信装置は、電源ボタンをはじめとする様々な押しボタンを有するが、電源ボタンは、テレビ受信機の電源オンオフ用であって、リモコン送信装置それ自体の電源オンオフ用ではない。つまり、リモコン送信装置の電源は常にオン状態になっている。その理由は、リモコン送信装置の操作性を考慮しているためと考えられる。すなわち、リモコン送信装置それ自体の電源オンオフ用ボタンを設けた場合には、まず、リモコン送信装置の電源をオンにしてからテレビ受信機の操作を行うという二段構えの手順になってしまい、面倒だからである。
【０００７】
このように、リモコン送信装置のほとんどは、常にボタン操作待ちの状態になっており、特にワンチップマイコンで構成されたリモコン送信装置においては、マイコンの入力ポートに接続されたボタンの状態変化を、割り込み等によって検出するための制御プログラムを定期的に実行させていることから、微量の待機電流（たとえば、数百μＡ）を常に消費しており、それゆえ、リモコン送信装置のバッテリ延命化を図る点で、こうした待機電流の存在は問題であった。
【０００８】
そこで、本発明の目的は、操作性を犠牲にすることなく、待機電流を無くすようにしたリモコン送信装置を提供することにある。
【課題を解決するための手段】
【０００９】
本発明に係るリモコン送信装置は、手持ち可能な本体部と、該本体部の任意面に配置された少なくとも１個の操作ボタンと、該操作ボタンに対する押圧操作力を受けて起電圧を発生する圧電素子部と、前記圧電素子部の起電圧発生に応答して、前記本体部に実装されたワイヤレス信号発生用電子回路の電源をオンにする電源オン手段とを備えたことを特徴とするものである。
また、好ましい態様は、前記圧電素子部は、厚み方向に分極を配した１枚ないしは複数枚のフィルム状の圧電シートからなり、該厚み方向に前記押圧操作力を受けるように構成されていることを特徴とするものである。
また、好ましい態様は、前記ワイヤレス信号発生回路は、電源がオンされてから所定時間、前記操作ボタンの押圧操作の有無を検知し、押圧操作を検知すると、該操作ボタンに割り当てられている所定の制御コードを含むワイヤレス信号を発生して外部に送信すると共に、前記の所定時間を経過すると、前記電源オン手段に対して電源オフの指示信号を出力することを特徴とするものである。
また、本発明に係るリモコン送信装置は、手持ち可能な本体部と、該本体部の任意面に配置された少なくとも１個の電源オンボタンを含む複数の操作ボタンと、前記電源オンボタンに対する押圧操作力を受けて起電圧を発生する圧電素子部と、前記圧電素子部の起電圧発生に応答して、前記本体部に実装されたワイヤレス信号発生用電子回路の電源をオンにする電源オン手段と、前記電源オン手段により電源が供給されたワイヤレス信号発生用電子回路により前記複数の操作ボタンに電源を供給する手段と、を備えたことを特徴とするものである。
また、好ましい態様は、前記圧電素子部は、厚み方向に分極を配したフィルム状の圧電シートとスポンジやゴム板等の弾性素材が積層され、厚み方向に変形可能に保持されているものである。
また、好ましい態様は、前記フィルム状の圧電シートは、ピエゾフィルムを含むものである。
また、好ましい態様は、前記フィルム状の圧電シートは、シート上のセラミックの圧電素子を含むものである。
また、好ましい態様は、前記圧電素子部は、複数枚の厚み方向に分極を配したフィルム状の圧電シートを積層して構成されており、その積層体は、スポンジやゴム板等の弾性素材を間にして介挿されることにより変形時の起電力を増大させているものである。
また、好ましい態様は、複数の操作ボタンに電源を供給する手段は、電磁リレーを含むものである。
また、本発明に係るリモコン送信装置の電源供給方法は、電源オンボタンとその他の操作ボタンを有するリモコン送信装置の電源供給方法であって、前記電源オンボタンを押圧するとフィルム状圧電シートを変形させることにより起電力を発生させ、その起電力により該電源オンボタンの機能を有効にさせて電源オン信号を電子機器に発信するとともに、該リモコン送信装置内部の電源回路をオンにさせ、その後に前記他の操作ボタンの機能を有効にすることを特徴とするものである。
【発明の効果】
【００１０】
本発明に係るリモコン送信装置によれば、本体部の操作ボタンを押圧操作すると、その押圧操作力を受けて圧電素子部で起電圧が発生し、この起電圧により、電源オン手段が、本体部に実装されたワイヤレス信号発生用電子回路の電源をオンにする。したがって、本体部の操作ボタンを押圧操作する前は、ワイヤレス信号発生用電子回路の電源がオフとされているため、当該回路の消費電流をゼロにすることができる。
また、好ましい態様によれば、厚み方向に分極を配した１枚ないしは複数枚のフィルム状の圧電シートを用いて、前記の押圧操作力に対応した大きさの起電圧を発生することができる。
さらに、好ましい態様によれば、本体部の操作ボタンを押圧操作してから所定の時間を経過すると、ワイヤレス信号発生用電子回路の電源が再びオフにされる。したがって、それ以降の当該回路の消費電流をゼロにすることができる。
【発明を実施するための最良の形態】
【００１１】
以下、本発明の実施の形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１２】
図１は、リモコンシステムの構成図である。この図において、電子機器１は、たとえば、テレビ受信機である。この電子機器１は、内蔵のリモコン受信装置２で、近くのリモコン送信装置３から送信されたワイヤレス信号４（ここでは特に限定しないが赤外線を伝送媒体としたワイヤレス信号とする）を受信し、このワイヤレス信号４に含まれている制御コードに対応して、たとえば、電源のオンオフ、受信チャンネルの切り換え、あるいは、音量調節などを遠隔操作できるようになっている。
【００１３】
リモコン送信装置３は、少なくとも１個（実用上はｎ個）の操作ボタン５1 〜５n からなる操作部５を備えると共に、圧電素子部６、バッテリ部７、電源オンオフ部８、発光部９及びワンチップマイコン部１０などを備える。ｎ個の操作ボタン５1 〜５n は、それぞれワンチップマイコン部１０のｎ個の入力ポートＰＩ1 〜ＰＩn と接地電位（グランド）の間に挿入されており、任意の操作ボタンの押圧操作時に、ワンチップマイコン部１０の対応する入力ポートの状態を開放（オープン）から接地電位へと変化させることができるようになっている。
【００１４】
ワンチップマイコン部１０は、ＶＣＣ端子に電源が加えられている間、所定の制御プログラムを定期的に実行する。この制御プログラムの詳細は後述するが、要するに、入力ポートＰＩ1 〜ＰＩn を巡回して、任意の入力ポート（に接続された操作ボタン）の状態変化を検知すると、その入力ポートに対応した所定の制御コードを含む駆動信号Ｐを生成してＯＵＴ端子から出力するというものである。ワンチップマイコン部１０のＯＵＴ端子にはＬＥＤ等の発光素子を用いた発光部９が接続されており、この発光部９は、駆動信号Ｐに対応して明るさが変化するワイヤレス信号４を発生する。なお、ワイヤレス信号４のフォーマットについては、発明の本質と直接関連しないために、その詳細な説明を省くが、たとえば、「家電製品協会フォーマット」に準じたものとしてもよい。
【００１５】
さて、これらのワンチップマイコン１０と発光部９の動作に必要な電源（バッテリ部７の電池電圧）は、電源オンオフ部８を介して断切可能に供給されている。この電源オンオフ部８は、後述するように、通常は、ワンチップマイコン１０と発光部９への電源供給を遮断しているが、圧電素子部６で起電圧が発生したときには、ワンチップマイコン１０と発光部９への電源供給を許容するようになっており、さらに、この電源オンオフ部８は、ワンチップマイコン１０のＣＭＤ端子がハイレベルになったときに再び元の状態、すなわち、ワンチップマイコン１０と発光部９への電源供給を遮断する状態に復帰するようになっている。
【００１６】
図２は、リモコン送信装置３の外観図及び操作部５と圧電素子部２の概念構成図である。この図において、リモコン送信装置３は、手持ちに適した形状（図では薄型長方形）を有する本体部３ａの一面（図では上面）に、ｎ個の操作ボタン５1 〜５n からなる操作部５を配置している。また、リモコン送信装置３は、その本体部３ａの他の一面（図では短手側端面）に、ワイヤレス信号４を空間に放射するための発光窓９ａを有している。
【００１７】
操作部５は、ｎ個の操作ボタン５1 〜５n の下に、柔軟性素材で作られたプリント基板５ａを配置して構成されており、ｎ個の操作ボタン５1 〜５n の下面には導電性薄膜が形成（または導電性塗料が塗布）されている。プリント基板５ａの上に形成された任意形状のプリントパターン５ｂ、５ｃとｎ個の操作ボタン５1 〜５n の下面との間は、通常、微小な距離で離隔しているが、指１１で任意の操作ボタンを押圧操作することにより、その操作ボタンとプリントパターン５ｂ、５ｃとが接触し、そして、この接触により、プリントパターン５ｂ、５ｃ同士が電気的に導通し、ワンチップマイコン部１０の対応する入力ポートの状態を開放（オープン）から接地電位へと変化させるようになっている。
【００１８】
操作部５のプリント基板５ａは、既述のとおり、柔軟性素材で作られており、指１１による押圧操作力Ｆを受けて、その押圧操作力Ｆの印加方向に撓むようになっている。
【００１９】
圧電素子部６は、後述するように、複数枚のフィルム状の圧電シートを積層して構成されており、その積層体は、上記のプリント基板５ａの下面と本体部３ａの底面との間に、スポンジやゴム板等の弾性素材１２を間にして介挿されている。
【００２０】
図３は、圧電素子部６の概念構造図である。圧電素子とは、圧電効果（変形を加えると電圧を発生する）と逆圧電効果（電圧を加えると変形する）を有する素子のことである。圧電を電歪ということもある。一般に両者（圧電／電歪）は厳密には異質の性質として理解されており、電気特性的には抗電界が大きい線形領域の広い物質を圧電素子、抗電界が非常に小さく２次曲線近似で表現されるものを電歪素子と分類しているが、本実施の形態では両者（圧電／電歪）を区別しない。なお、本明細書においては、「たわみ（撓み）」、「変形」及び「歪み」を同義語として取り扱う。
【００２１】
圧電素子部６は、フィルム状の圧電シート６ａで構成されており、望ましくは、複数枚の圧電シート６ａを積み重ねたものである。複数枚積み重ねることによって起電圧を増大させることができる。起電圧の大きさによってはもちろん１枚でも構わない。圧電シート６ａの実例としては、特に限定しないが、米国ＭＳＩ（Measurement Specialties.Inc）社製のＰＤＴシリーズ（http://www.t-sensor.co.jp/PIEZO/FDT/ 参照）やＤＴシリーズ（http://www.t-sensor.co.jp/PIEZO/DT/ 参照）などの“ピエゾフィルム”を使用することができる。
【００２２】
ピエゾフィルムは、プラスチックＰＶＤＦ（Polyvinylidene fluoride）膜６ｂの両面に金属薄膜６ｃ、６ｄを印刷して作られている。分極はプラスチックＰＶＤＦ膜６ｂの厚み方向である。圧電効果によって分極方向への歪みの大きさに対応した電圧（起電圧）を両面の金属薄膜６ｃ、６ｄの間に発生する。ピエゾフィルムは、加工性が良く、大面積で薄膜化が容易な圧電素子であり、従来の硬質圧電素子（ピエゾセラミック等）と比較して、すぐれた柔軟性、耐衝撃性、耐高電圧性、耐水性、化学的安定性を備えている。なお、ピエゾフィルム以外でも、たとえば、シート状のセラミックの圧電素子を使用することもできる。
【００２３】
圧電素子部６の両側辺には、それぞれ引き出し電極６ｅ、６ｆが取り付けられており、一の引き出し電極６ｅと各々の圧電シート６ａの一方電極（たとえば、上面側の金属薄膜６ｃ）とを接続し、且つ、他の引き出し電極６ｆと圧電シート６ａの他方電極（たとえば、下面側の金属薄膜６ｄ）とを接続している。これにより、複数枚の圧電シート６ａを、引き出し電極６ｅ、６ｆの間に並列接続して起電圧の増大を図っている。引き出し電極６ａ、６ｆの一方からは配線６ｇが取り出されており、また、引き出し電極６ａ、６ｆの他方からは配線６ｈが取り出されている。圧電素子部６は、これらの配線６ｇ、６ｈの端子６ｉ、６ｊから、前記の押圧操作力Ｆに対応した大きさの電気信号（起電圧）を出力する。出力先は電源オンオフ部８である。
【００２４】
図４は、電源オンオフ部８の概念構成図である。なお、ここでは、便宜的に「電磁リレー」を用いた構成を説明するが、これはあくまでも例示である。電源オンオフ部８の既述の機能、すなわち、（１）「通常は、ワンチップマイコン１０と発光部９への電源供給を遮断している」が、（２）「圧電素子部６で起電圧が発生したときには、ワンチップマイコン１０と発光部９への電源供給を許容し」、（３）「さらに、ワンチップマイコン１０のＣＭＤ端子がハイレベルになったときに再び元の状態（ワンチップマイコン１０と発光部９への電源供給を遮断する状態）に復帰する」を実現するための思想を開示するものに過ぎない。
【００２５】
この図において、電源オンオフ部８は第１電磁リレー１３と第２電磁リレー１４を含む。第１電磁リレー１３のノーマルクローズ（ＮＣ）接点ａ、ｂは、圧電素子部６の出力とワンチップマイコン部１０のＶＣＣ端子との間に接続されており、また、圧電素子部６の出力は、このＮＣ接点ａ、ｂを介して第１電磁リレー１３のソレノイドの一端にも加えられている。さらに、バッテリ部７からの電源は、第１電磁リレー１３のノーマルオープン（ＮＯ）接点ｂ、ｃを介してワンチップマイコン部１０のＶＣＣ端子に印可されるようになっている。第２電磁リレー１４のＮＣ接点ａ、ｂは、第１電磁リレー１３のソレノイドの他端と接地電位との間に介挿されており、この第２電磁リレー１４のソレノイドは、ワンチップマイコン部１０のＣＭＤ端子と接地電位との間に接続されている。
【００２６】
このような構成を有する電源オンオフ部８は、圧電素子部６からの出力がない状態（起電圧が発生していない状態）では、第１電磁リレー１３と第２電磁リレー１４の接点が図示の位置にある。すなわち、この状態ではバッテリ部７からの電源が遮断され、ワンチップマイコン部１０は非動作状態にあるから、上記の機能（１）が達成される。
【００２７】
次に、圧電素子部６で所要の起電圧が発生した場合を考えると、その起電圧が第１電磁リレー１３のソレノイドを動作させるのに充分な大きさになったときに第１電磁リレー１３のＮＣ接点ａ、ｂがオープンとなり、その代わりに、第１電磁リレー１３のＮＯ接点ｂ、ｃがクローズする。これにより、バッテリ部７からの電源が第１電磁リレー１３のＮＯ接点ｂ、ｃを経てワンチップマイコン部１０のＶＣＣ端子に加えられ、ワンチップマイコン部１０が動作状態になる。さらに、第１電磁リレー１３のＮＯ接点ｂ、ｃを経たバッテリ部７からの電源は、第１電磁リレー１３のソレノイドにも加えられるため、第１電磁リレー１３は圧電素子部６の起電圧がなくなってもＮＯ接点ｂ、ｃのクローズ状態を維持し、ワンチップマイコン部１０の動作状態をそのまま継続させる。これらにより、上記の機能（２）も達成される。
【００２８】
次に、ワンチップマイコン部１０のＣＭＤ端子がハイレベルになる（このハイレベル操作はワンチップマイコン部１０の制御プログラムの動作によって行われる）と、第２電磁リレー１４が動作して、そのＮＣ接点ａ、ｂをオープンにする。これにより、第１電磁リレー１３のソレノイド回路が切断され、第１電磁リレー１３のＮＯ接点ｂ、ｃは再びオープン状態に復帰する。したがって、上記の機能（３）も達成される。
【００２９】
図５は、制御プログラムのフローチャートを示す図である。この制御プログラムは、ワンチップマイコン部１０のＶＣＣ端子に電源が加えられているときに実行される。この制御プログラムを開始すると、まず、タイマー変数ＴＭをリセット（ＴＭ＝０）し（ステップＳ１１）、ループ変数ｉに初期値“１”をセット（ステップＳ１２）した後、第ｉポートの状態を読み込む（ステップＳ１３）。今、ｉ＝１であるから、この段階では第１ポート（ＰＩ1 ）の状態変化を読み込む。そして、ポートの状態が開放から接地電位に変化しているか否かを判定する（ステップＳ１４）。ここで、図１に示すように、第１ポート（ＰＩ1 ）には操作ボタン５1 が接続されているので、このステップＳ１４における判定は、要するに、操作ボタン５1 の押圧操作の有無を判定していることになる。
【００３０】
操作ボタン５1 が押圧操作されていない場合は、変数ｉを＋１して（ステップＳ１７）変数ｉが最大ポート数ｉｍａｘを越えるまで、以上のループ（ステップＳ１３〜ステップＳ１８）を繰り返し、一方、操作ボタン５1 が押圧操作されている場合は、次に、その操作ボタン５1 にあらかじめ割り当てられている制御コード（たとえば、操作ボタン５1 が電子機器１の電源オンオフボタンであれば電源オンオフ用の制御コード）を発生し（ステップＳ１５）、そして、その制御コードを含む駆動信号Ｐを生成して発光部９を駆動し（ステップＳ１６）、ワイヤレス信号４を外部に出力（ステップＳ１７）した後、変数ｉを＋１して（ステップＳ１７）変数ｉが最大ポート数ｉｍａｘを越えるまで、以上のループ（ステップＳ１３〜ステップＳ１８）を繰り返す。
【００３１】
そして、変数ｉが最大ポート数ｉｍａｘを越えると、タイマー変数ＴＭを所定値Ｔａだけアップ（ステップＳ１９）した後、タイマー変数ＴＭが所定のタイマー上限値Ｔｍａｘを越えたか否かを判定（ステップＳ２０）して、越えていなければ、ステップＳ１２以降を繰り返し、越えていれば、ワンチップマイコン部１０への電源を遮断するために、ＣＭＤ端子をハイレベルにする（ステップＳ２１）。
【００３２】
以上のとおり、この制御プログラムでは、ワンチップマイコン部１０のＶＣＣ端子にバッテリ部７からの電源が加えられているとき、ｎ個のポートＰＩ1 〜ＰＩn の各々に接続された操作ボタン５1 〜５n の状態を巡回しながら検査する。そして、任意の操作ボタンの状態変化（押圧操作）を検出したときには、その操作ボタンに対応した制御コードを発生する。さらに、ワンチップマイコン部１０のＶＣＣ端子にバッテリ部７からの電源が加えらてから所定の時間（Ｔｍａｘ）を越えた時点で、ＣＭＤ端子をハイレベルにしてワンチップマイコン部１０のＶＣＣ端子への電源供給を遮断する。
【００３３】
ワンチップマイコン部１０への電源供給は、圧電素子部６で起電圧が発生したとき、つまり、任意の操作ボタンに押圧操作力Ｆが加えられたときである。このため、上記の制御プログラムは、任意の操作ボタンに押圧操作力Ｆが加えられたときから前記の所定時間（Ｔｍａｘ）が経過するまでの期間しか実行されず、それ以外の期間はワンチップマイコン部１０の電源が遮断されるので、消費電流をゼロにすることができる。
【００３４】
図６は、本実施の形態の効果説明図である。この図において、長時間（少なくとも上記間Ｔｍａｘ以上）放置されたままのリモコン送信装置３は、その電源オンオフ部８の第１電磁リレー１３のＮＯ接点ｂ、ｃがオープンになっているため、ワンチップマイコン部１０への電源が遮断されている。したがって、この状態では、当然ながらリモコン送信装置３の消費電流はゼロである。
【００３５】
今、任意の操作ボタンが押圧操作されたとすると、その押圧操作力を受けて圧電素子部６で起電圧が発生し、電源オンオフ部８の第１電磁リレー１３のＮＯ接点ｂ、ｃがクローズする。これにより、ワンチップマイコン部１０が動作して、前記の制御プログラムを実行し、その操作ボタンに対応した制御コードを発生する。その後、所定の時間（Ｔｍａｘ）が経過するまで制御プログラムの実行を継続するが、所定の時間（Ｔｍａｘ）が経過すると、ＣＭＤ端子をハイレベルにして、電源オンオフ部８の第１電磁リレー１３のＮＯ接点ｂ、ｃを再びオープンにし、ワンチップマイコン部１０の電源を遮断する。したがって、以降、リモコン送信装置３の消費電流はゼロになる。
【００３６】
このように、本実施の形態においては、リモコン送信装置３の任意の操作ボタンを押圧操作してから所定時間（Ｔｍａｘ）が経過するまでの期間以外の消費電流をゼロにできるので、バッテリ部７の消耗を回避し、電池の寿命を大幅に延長できるという格別の効果が得られる。
【００３７】
なお、上記の実施の形態では、遠隔操作の対象となる電子機器１をテレビ受信機としたが、これに限定されない。リモコンシステムを搭載するあらゆる種類の電気製品はもちろんのこと、たとえば、自動車等車両のキーレスエントリー端末や、電動シャッター等の開閉リモコンなど様々なものにも適用できる。
また、上記の実施の形態では、ワンチップマイコン部１０を搭載したプログラム制御型のリモコン送信装置３を例にしたが、これ以外にも、制御ロジックを論理回路で構成したものであってもよい。この場合、前記のワンチップマイコン部１０を“論理回路”と読み替えればよい。
さらに、上記の実施の形態では、操作部５の下に圧電素子部６を配置しているが、要は、操作部５への押圧操作力Ｆを受けて圧電素子部６に歪みを生じさせるように構成すればよく、上記の実施の形態の技術に限定されない。
【図面の簡単な説明】
【００３８】
【図１】リモコンシステムの構成図である。
【図２】リモコン送信装置３の外観図及び操作部５と圧電素子部２の概念構成図である。
【図３】圧電素子部６の概念構造図である。
【図４】電源オンオフ部８の概念構成図である。
【図５】制御プログラムのフローチャートを示す図である。
【図６】本実施の形態の効果説明図である。
【符号の説明】
【００３９】
Ｆ  押圧操作力
３  リモコン送信装置
３ａ  本体部
４  ワイヤレス信号
５1 〜５n   操作ボタン
６  圧電素子部
６ａ  圧電シート
８  電源オンオフ部（電源オン手段）
１０  ワンチップマイコン部（ワイヤレス信号発生用電子回路）
【図１】
2006186545.tif 000003
【図２】
2006186545.tif 000004
【図３】
2006186545.tif 000005
【図４】
2006186545.tif 000006
【図５】
2006186545.tif 000007
【図６】
2006186545.tif 000008